(57)【要約】【課題】代表画像の表示画像を、対応する映像音響情報に含まれる所定の画像に変更することが可能であるとともに、多数の代表画像の表示画像を変更する場合でも、変更作業の作業効率を向上させることが可能な記録再生装置を提供する。【解決手段】このビデオレコーダ（記録再生装置）１は、コンテンツ（映像音響情報）を録画するためのＨＤＤ２およびＤＶＤドライブ３を備えている。また、制御部２１は、ＨＤＤ２およびＤＶＤドライブ３に録画されたコンテンツに含まれる一部の画像をサムネイル画像６３（代表画像）として縮小表示する機能を有している。また、制御部２１は、複数のサムネイル画像６３を選択することが可能であるとともに、選択したサムネイル画像６３の表示画像を、サムネイル画像６３に対応するコンテンツに含まれる所定の画像に一括して変更する機能を有している。【選択図】図４
2007295475.tif 000002
【特許請求の範囲】
【請求項１】
映像音響情報を記録するための記録部と、前記記録部に記録された複数の前記映像音響情報と、前記映像音響情報に含まれる一部の画像を代表画像として縮小表示する代表画像表示部とを備えた記録再生装置において、
前記代表画像表示部により表示された前記代表画像のうち、複数の前記代表画像を個別に選択、または、全ての前記代表画像を一度に選択することが可能な代表画像選択部と、
前記代表画像選択部によって選択された前記代表画像の表示画像を、前記代表画像にそれぞれ対応する前記映像音響情報に含まれる所定の画像に一括して変更する代表画像一括変更部とをさらに備え、
前記代表画像表示部によって表示された前記代表画像は、静止画像または動画像であり、
前記代表画像一括変更部は、前記代表画像選択部によって選択された前記代表画像の表示画像を、選択された前記代表画像にそれぞれ対応する前記映像音響情報に含まれる前記所定の画像に変更する際に、前記所定の画像を選択する表示画像選択部を含み、
前記表示画像選択部は、所定の時間を設定することにより、選択された前記代表画像にそれぞれ対応する前記映像音響情報に含まれる前記映像音響情報の記録開始時から前記所定の時間経過後に記録された画像を一括して選択することを特徴とする、記録再生装置。
【請求項２】
映像音響情報を記録するための記録部と、
前記記録部に記録された複数の前記映像音響情報と、
前記映像音響情報に含まれる一部の画像を代表画像として縮小表示する代表画像表示部と、
前記代表画像表示部により表示された前記代表画像のうち、複数の前記代表画像を選択することが可能な代表画像選択部と、
前記代表画像選択部によって選択された複数の前記代表画像の表示画像を、複数の前記代表画像にそれぞれ対応する前記映像音響情報に含まれる所定の画像に一括して変更する代表画像一括変更部とを備えることを特徴とする、記録再生装置。
【請求項３】
前記代表画像選択部は、前記代表画像表示部によって表示された前記代表画像の全てを一度に選択することを特徴とする、請求項２に記載の記録再生装置。
【請求項４】
前記代表画像一括変更部は、前記代表画像選択部によって選択された前記代表画像の表示画像を、選択された前記代表画像にそれぞれ対応する前記映像音響情報に含まれる前記所定の画像に変更する際に、前記所定の画像を選択する表示画像選択部を含むことを特徴とする、請求項２または３に記載の記録再生装置。
【請求項５】
前記表示画像選択部は、所定の時間を設定することにより、選択された前記代表画像にそれぞれ対応する前記映像音響情報に含まれる前記映像音響情報の記録開始時から前記所定の時間経過後に記録された画像を選択することを特徴とする、請求項４に記載の記録再生装置。
【請求項６】
前記代表画像表示部によって表示された前記代表画像は、静止画像または動画像であることを特徴とする、請求項２〜５のいずれか１項に記載の記録再生装置。
【発明の詳細な説明】
【技術分野】
【０００１】
この発明は、記録再生装置に関し、特に、サムネイル画像（代表画像）を表示する機能を備えた記録再生装置に関する。
【背景技術】
【０００２】
従来、サムネイル画像（代表画像）を表示する機能を備えた記録再生装置が知られている。このサムネイル画像とは、録画（記録）されたコンテンツ（映像音響情報）の一部より抽出した画像を縮小表示した画像であり、サムネイル画像を表示することによって、ユーザは、録画されたコンテンツを再生することなく、コンテンツが含む画像を視認することが可能となる。これにより、ユーザは、サムネイル画像によって、サムネイル画像に対応するコンテンツの概要を確認することが可能となる。また、複数のコンテンツが記録再生装置に録画されている場合には、各コンテンツに対応するサムネイル画像を一覧表示することによって、ユーザは、所望のコンテンツを容易に選択することが可能となる。
【０００３】
しかしながら、従来知られている記録再生装置では、一般的に、コンテンツの録画開始時の画像が自動的にサムネイル画像として作成されてしまうので、タイマー予約録画などによりコンテンツを録画した場合には、コンテンツが放送される前に放送されるコマーシャル（ＣＭ）の画像がサムネイル画像として作成されてしまうという不都合があった。このため、サムネイル画像を表示した場合でも、コンテンツの概要とは無関係のＣＭ画像がサムネイル画像として表示されてしまう場合があるという不都合があった。その結果、サムネイル画像によって、サムネイル画像に対応するコンテンツの概要を確認することが困難になる場合があるという問題点があった。
【０００４】
そこで、従来、サムネイル画像の表示画像を、録画されたコンテンツの所定の画像に変更することが可能な記録再生装置が提案されている（たとえば、特許文献１および２参照）。
【０００５】
上記特許文献１には、コンテンツのタイトルとサムネイル画像とを同時に表示することが可能であるとともに、コンテンツの記録後にサムネイル画像の表示画像をユーザが任意の画像と入れ替えることが可能なディスク再生装置（記録再生装置）が開示されている。
【０００６】
また、上記特許文献２には、サムネイル画像を、静止画像および動画像として表示するサムネイル表示方法が開示されている。このサムネイル表示方法は、サムネイル画像に対応する映像ファイル（コンテンツ）の任意の区間、または、任意の静止画像を指定することが可能に構成されている。そして、サムネイル画像に対応する映像ファイルの任意の区間を指定した場合には、指定した区間に対応する動画像が、サムネイル画像として動画像表示される。一方、サムネイル画像に対応する映像ファイルの任意の静止画像を指定した場合には、指定した静止画像が、サムネイル画像として静止画像表示される。
【０００７】
【特許文献１】特開２００４−０４７０６４号公報
【特許文献２】特開２００３−０６１０３９号公報
【発明の開示】
【発明が解決しようとする課題】
【０００８】
しかしながら、上記特許文献１に記載されたディスク再生装置では、コンテンツの記録（録画）後にサムネイル画像の表示画像を任意の画像と入れ替えることが可能である旨の記載はあるものの、その変更方法（画像の入れ替え方法）については、なんら開示されていない。また、上記特許文献２に記載されたサムネイル表示方法では、ユーザが任意の区間、または、任意の静止画像を指定することによって、サムネイル画像の表示画像を、任意の動画像、または、任意の静止画像に変更するため、サムネイル画像の表示画像の変更は、１タイトル（１サムネイル画像）ずつ行われるものと考えられる。このため、サムネイル画像の変更が１タイトルずつ行われる場合には、逐一、任意の区間、または、任意の静止画像を指定して変更作業を行う必要があるので、多数のサムネイル画像の表示画像を変更する場合には、サムネイル画像の変更作業が煩雑になるという不都合がある。その結果、サムネイル画像の表示画像を変更する際に、作業効率が低下するという問題点がある。
【０００９】
この発明は、上記のような課題を解決するためになされたものであり、この発明の１つの目的は、代表画像（サムネイル画像）の表示画像を、対応するコンテンツ（映像音響情報）に含まれる所定の画像に変更することが可能であるとともに、多数の代表画像の表示画像を変更する場合でも、変更作業の作業効率を向上させることが可能な記録再生装置を提供することである。
【課題を解決するための手段】
【００１０】
この発明の第１の局面における記録再生装置は、映像音響情報を記録するための記録部と、記録部に記録された複数の映像音響情報と、映像音響情報に含まれる一部の画像を代表画像として縮小表示する代表画像表示部とを備えた記録再生装置において、代表画像表示部により表示された代表画像のうち、複数の代表画像を個別に選択、または、全ての代表画像を一度に選択することが可能な代表画像選択部と、代表画像選択部によって選択された代表画像の表示画像を、代表画像にそれぞれ対応する映像音響情報に含まれる所定の画像に一括して変更する代表画像一括変更部とをさらに備え、代表画像表示部によって表示された代表画像は、静止画像または動画像であり、代表画像一括変更部は、代表画像選択部によって選択された代表画像の表示画像を、選択された代表画像にそれぞれ対応する映像音響情報に含まれる所定の画像に変更する際に、所定の画像を選択する表示画像選択部を含み、表示画像選択部は、所定の時間を設定することにより、選択された代表画像にそれぞれ対応する映像音響情報に含まれる映像音響情報の記録開始時から所定の時間経過後に記録された画像を一括して選択する。
【００１１】
この発明の第２の局面における記録再生装置は、映像音響情報を記録するための記録部と、記録部に記録された複数の映像音響情報と、映像音響情報に含まれる一部の画像を代表画像として縮小表示する代表画像表示部と、代表画像表示部により表示された代表画像のうち、複数の代表画像を選択することが可能な代表画像選択部と、代表画像選択部によって選択された複数の代表画像の表示画像を、複数の代表画像にそれぞれ対応する映像音響情報に含まれる所定の画像に一括して変更する代表画像一括変更部とを備える。
【００１２】
この第２の局面による記録再生装置では、上記のように、代表画像表示部により表示された代表画像のうち、複数の代表画像を選択することが可能な代表画像選択部と、代表画像選択部によって選択された複数の代表画像の表示画像を、代表画像にそれぞれ対応する映像音響情報に含まれる所定の画像に一括して変更する代表画像一括変更部とを備えることによって、代表画像の表示画像を、映像音響情報の所定の画像に変更することが可能であるとともに、代表画像選択部により、複数の代表画像を選択した後、代表画像一括変更部により、選択した代表画像の表示画像を一括して変更することができるので、多数の代表画像の表示画像を変更する場合でも、容易に表示画像を変更することができる。これにより、たとえば、毎日予約、または、毎週予約などのタイマー予約を用いて、決まった時刻に放送される映像音響情報を定期的に記録することによって、多数の映像音響情報が記録部に記録され、これによって、記録された映像音響情報に対応する代表画像が多数存在するとともに、その多数の代表画像の表示画像を変更する必要がある場合でも、複数の代表画像の表示画像を一括して変更することができるので、多数の代表画像の表示画像を１タイトルずつ変更する場合に比べて、表示画像の変更作業における作業効率を向上させることができる。
【００１３】
上記第２の局面による記録再生装置において、代表画像選択部は、代表画像表示部によって表示された代表画像の全てを一度に選択するようにしてもよい。
【００１４】
上記第２の局面による記録再生装置において、好ましくは、代表画像一括変更部は、代表画像選択部によって選択された代表画像の表示画像を、選択された代表画像にそれぞれ対応する映像音響情報に含まれる所定の画像に変更する際に、所定の画像を選択する表示画像選択部を含む。このように構成すれば、ユーザは、表示画像選択部を介して、代表画像の表示画像を選択することができるので、代表画像の表示画像として映像音響情報の概要を確認するのに最も適した画像を選択することにより、代表画像によって、代表画像に対応する映像音響情報の概要を容易に確認することができる。
【００１５】
この場合において、好ましくは、表示画像選択部は、所定の時間を設定することにより、選択された代表画像にそれぞれ対応する映像音響情報に含まれる映像音響情報の記録開始時から所定の時間経過後に記録された画像を選択する。このように構成すれば、ユーザが所定の時間を設定することにより、映像音響情報の記録開始時から設定した時間経過後にそれぞれ記録された画像を、選択した代表画像の表示画像としてそれぞれ選択することができるので、１タイトルずつ代表画像の表示画像を選択する場合と異なり、選択した代表画像が多数ある場合でも、代表画像の表示画像を容易に選択することができる。また、タイマー予約などにより映像音響情報を記録した場合には、映像音響情報の記録開始時から一定時間、映像音響情報の概要とは無関係の画像であるコマーシャル（ＣＭ）画像が記録される一方、その後、一定時間、映像音響情報の概要（タイトル）を表示する画像（タイトルバック）が記録されるのが一般的である。このため、上記のように構成すれば、映像音響情報の記録開始時からタイトルバックが表示されるまでの時間を所定の時間として設定することにより、タイトルバックを代表画像の表示画像として一括して選択することができる。これにより、多数の代表画像の表示画像を変更する必要がある場合でも、選択した代表画像の表示画像を、容易に、タイトルバックに変更することができる。
【００１６】
上記第２の局面による記録再生装置において、代表画像表示部によって表示された代表画像は、静止画像または動画像としてもよい。
【発明の効果】
【００１７】
本発明の第１の局面による記録再生装置では、上記のように、代表画像表示部により表示された代表画像のうち、複数の代表画像を個別に選択、または、全ての代表画像を一度に選択することが可能な代表画像選択部と、代表画像選択部によって選択された代表画像の表示画像を、代表画像にそれぞれ対応する映像音響情報に含まれる所定の画像に一括して変更する代表画像一括変更部とを備えることによって、代表画像の表示画像を、映像音響情報の所定の画像に変更することが可能であるとともに、代表画像選択部により、代表画像を選択した後、代表画像一括変更部により、選択した代表画像の表示画像を一括して変更することができるので、多数の代表画像の表示画像を変更する場合でも、容易に表示画像を変更することができる。これにより、たとえば、毎日予約、または、毎週予約などのタイマー予約を用いて、決まった時刻に放送される映像音響情報を定期的に記録することによって、多数の映像音響情報が記録部に記録され、これによって、記録された映像音響情報に対応する代表画像が多数存在するとともに、その多数の代表画像の表示画像を変更する必要がある場合でも、複数の代表画像の表示画像を一括して変更することができるので、多数の代表画像の表示画像を１タイトルずつ変更する場合に比べて、表示画像の変更作業における作業効率を向上させることができる。また、代表画像選択部によって選択された代表画像の表示画像を、選択された代表画像にそれぞれ対応する映像音響情報に含まれる所定の画像に変更する際に、所定の画像を選択する表示画像選択部を含むように代表画像一括変更部を構成することによって、ユーザは、表示画像選択部を介して、代表画像の表示画像を選択することができるので、代表画像の表示画像として映像音響情報の概要を確認するのに最も適した画像を選択することにより、代表画像によって、代表画像に対応する映像音響情報の概要を容易に確認することができる。
【００１８】
また、本発明の第１の局面では、表示画像選択部を、所定の時間を設定することにより、選択された代表画像にそれぞれ対応する映像音響情報に含まれる映像音響情報の記録開始時から所定の時間経過後に記録された画像を一括して選択するように構成することによって、ユーザが所定の時間を設定することにより、映像音響情報の記録開始時から設定した時間経過後にそれぞれ記録された画像を、選択した代表画像の表示画像としてそれぞれ選択することができるので、１タイトルずつ代表画像の表示画像を選択する場合と異なり、選択した代表画像が多数ある場合でも、代表画像の表示画像を容易に選択することができる。また、タイマー予約などにより映像音響情報を記録した場合には、映像音響情報の記録開始時から一定時間、映像音響情報の概要とは無関係の画像であるコマーシャル（ＣＭ）画像が記録される一方、その後、一定時間、映像音響情報の概要（タイトル）を表示する画像（タイトルバック）が記録されるのが一般的である。このため、表示画像選択部を、上記のように構成すれば、映像音響情報の記録開始時からタイトルバックが表示されるまでの時間を所定の時間として設定することにより、タイトルバックを代表画像の表示画像として一括して選択することができる。これにより、多数の代表画像の表示画像を変更する必要がある場合でも、選択した代表画像の表示画像を、容易に、タイトルバックに変更することができる。
【発明を実施するための最良の形態】
【００１９】
以下、本発明を具体化した実施形態を図面に基づいて説明する。なお、本実施形態では、記録再生装置の一例であるビデオレコーダに本発明を適用した場合について説明する。
【００２０】
図１は、本発明の一実施形態によるビデオレコーダの全体斜視図である。図２は、図１に示した本発明の一実施形態によるビデオレコーダのリモコン送信機の平面図である。図３は、図３は、図１に示した本発明の一実施形態によるビデオレコーダの構成を説明するためのブロック図である。まず、図１〜図３を参照して、本発明の一実施形態によるビデオレコーダ１の構造について説明する。
【００２１】
本実施形態によるビデオレコーダ１は、図１に示すように、コンテンツ（映像音響情報）を録画（記録）するための録画部（記録部）である、ＨＤＤ（Ｈａｒｄ  Ｄｉｓｋ  Ｄｅｖｉｃｅ）２、および、ＤＶＤ（Ｄｉｇｉｔａ  Ｖｅｒｓａｔｉｌｅ  Ｄｉｓｋ）ドライブ３を備えている。また、ビデオレコーダ１の正面には、図１に示すように、電源スイッチ５と、後述するリモコン送信機１０から送信される信号光を受光する信号受光部６と、外部光学記憶媒体であるＤＶＤメディア（図示せず）を挿入するためのＤＶＤ挿入部３ａと、コンテンツの録画操作および再生操作をビデオレコーダ１側で行うための操作ボタン７と、ビデオレコーダ１の動作状態などを表示する表示部８とが設けられている。なお、ＨＤＤ２およびＤＶＤドライブ３は、本発明の「記録部」の一例である。
【００２２】
また、ビデオレコーダ１には、ビデオレコーダ１に指令を送信するためのリモコン送信機１０が付属で備えられている。このリモコン送信機１０には、図２に示すように、電源ボタン１１と、外部モニタ４０（図３参照）の画面上にメニュー画面を表示させるためのメニューボタン１２と、テレビジョン放送の受信チャンネルなどを指定する複数の数字ボタン１３と、メニュー画面上で各種設定を行うための選択ボタン１４と、コンテンツの録画操作および再生操作の指令を行うための操作ボタン１５と、複数の録画部を切り替えるための切替ボタン１６と、各ボタンに対応する指令を信号光（リモコン信号）としてビデオレコーダ１に発信するための発光部１７とが設けられている。
【００２３】
また、図３に示すように、ビデオレコーダ１の内部には、上記したＨＤＤ２、および、ＤＶＤドライブ３以外に、電源部２０、制御部２１、制御プログラム記憶部（ＲＯＭ：Ｒｅａｄ  Ｏｎｌｙ  Ｍｅｍｏｒｙ）２２、記録用メモリ２３、メモリ（ＲＡＭ：Ｒａｎｄｏｍ  Ａｃｃｅｓｓ  Ｍｅｍｏｒｙ）２４、チューナ部２５、エンコーダ部２６、デコーダ部２７、ＯＳＤ回路部２８、および、加算器２９が設けられている。また、ビデオレコーダ１の背面には、テレビジョン放送を受信するためのアンテナ５０とチューナ部２５とを接続するための接続端子（図示せず）と、コンテンツを再生するための外部モニタ４０が接続される外部出力端子３０（図３参照）とが設けられている。
【００２４】
また、図１に示すように、電源スイッチ５は、ユーザが押すことにより、電源部２０（図３参照）から各回路に電力が供給されるように構成されている。また、信号受光部６は、リモコン送信機１０から送信される信号光を受光した後、受光した信号光を電気信号に変換して制御部２１に与える機能を有している。これにより、リモコン送信機１０の各ボタンに対応した指令に基づいて、制御部２１により、ビデオレコーダ１の各種動作が制御される。
【００２５】
また、図２に示すように、リモコン送信機１０の各ボタンは、ユーザが押し下げることによって、発光部１７から信号光が送信されるように構成されている。また、電源ボタン１１は、ユーザが押し下げることによって、上記電源スイッチ５と同様に、電源部２０から各回路に電力が供給されるように構成されている。また、数字ボタン１３は、ユーザが押し下げることによって、テレビジョン放送のチャンネルを選択することが可能に構成されているとともに、後述するサムネイル画像一括変更画面６０などの設定画面上において数字を入力することが可能に構成されている。また、選択ボタン１４は、左右上下方向へのカーソル移動を指示する４つの矢印ボタン１４ａと、４つの矢印ボタン１４ａの中央部に設けられた決定ボタン１４ｂとから構成されており、サムネイル画像一括変更画面６０などの設定画面上に表示される設定ボタンなどを、矢印ボタン１４ａによって選択するとともに、選択した設定ボタンを決定ボタン１４ｂによって決定する機能を有している。また、切替ボタン１６は、ユーザが切替ボタン１６の１つを押し下げることにより、そのボタンに対応した録画部（ＨＤＤ２、または、ＤＶＤドライブ３）を、録画操作および再生操作が可能な状態に待機させるように構成されている。
【００２６】
また、図３に示すように、チューナ部２５は、アンテナ５０で受信された信号電波から、ユーザによって指定された１つのチャンネルの信号電波を選択し、アナログのテレビジョン信号に復調する機能を有している。また、エンコーダ部２６は、チューナ部２５で復調されたアナログのテレビジョン信号をデジタル信号に変換するとともに、変換されたデジタル信号を符号化して圧縮する機能を有している。また、ＨＤＤ２およびＤＶＤドライブ３は、エンコーダ部２６で変換されたデジタル圧縮信号を記録する機能を有している。また、ＨＤＤ２は、高速回転する図示しない磁気ディスク（磁気記憶媒体）を内部に有しており、この磁気ディスクにデジタル信号が記録されることによって、アンテナ５０で受信されたテレビジョン信号がコンテンツとしてデジタル録画されるように構成されている。また、ＤＶＤドライブ３は、図示しない取り出し可能なＤＶＤメディア（外部光学記憶媒体）にデジタル信号が記録されることによって、アンテナ５０で受信されたテレビジョン信号がコンテンツとしてデジタル録画されるように構成されている。また、デコーダ部２７は、ＨＤＤ２およびＤＶＤドライブ３に記録されたデジタル圧縮信号を復元するとともに、復元されたデジタル信号をアナログ信号に変換する機能を有している。
【００２７】
また、制御部２１は、ビデオレコーダ１の各種動作およびデータ処理に関する制御を行う機能を有している。この制御部２１は、録画するコンテンツの日時および録画部を録画予約として記録用メモリ２３に登録するとともに、登録された録画予約に基づいて録画動作を実行する機能を有している。また、制御部２１は、現在時刻を計測するためのタイマー部２１ａを有しており、このタイマー部２１ａによって、記録用メモリ２３に登録された録画予約の録画開始時刻（日時）をモニタしている。また、制御部２１は、録画予約の録画開始時刻（日時）に、録画予約に基づくチャンネルのテレビジョン信号を受信するように、チューナ部２５を制御するとともに、チューナ部２５で受信したテレビジョン信号を、ＨＤＤ２、または、ＤＶＤドライブ３の一方の録画部、または、両方の録画部に録画するように制御する。
【００２８】
また、制御部２１は、録画されたコンテンツに含まれる一部の画像をサムネイル画像（代表画像）６５（図６および図７参照）として縮小表示する機能を有している。具体的には、制御部２１は、ＨＤＤ２、および、ＤＶＤドライブ３に録画されているコンテンツに含まれる画像のうち、サムネイル画像６３として表示する画像の位置情報を記録用メモリ２３に記録する機能を有しているとともに、記録用メモリ２３に記録された位置情報を参照して、その位置情報に対応するコンテンツの画像を外部モニタ４０に縮小表示する機能を有している。なお、初期状態では、サムネイル画像６３には、コンテンツに含まれる最初の画像が表示されている。また、サムネイル画像６３は、制御部２１によって、静止画像または動画像で表示される。サムネイル画像６３が動画像として表示される場合は、記録用メモリ２３に記録された位置情報に対応する画像と、その画像が録画された時点から所定の時間経過後に録画された画像との間をサムネイル区間として動画像表示される。
【００２９】
ここで、本実施形態では、制御部２１は、録画されたコンテンツに対応するサムネイル画像６３のうち、複数のサムネイル画像６３を個別に選択、または、全てのサムネイル画像６３を一度に選択する機能を有するとともに、選択したサムネイル画像６３の表示画像を、選択したサムネイル画像６３に対応するコンテンツに含まれる所定の画像に一括変更する機能を有している。また、制御部２１は、選択したサムネイル画像６３の表示画像を変更する際に、所定の時間を設定することにより、コンテンツの録画開始時から所定の時間経過後に録画された画像を選択するとともに、選択した画像をサムネイル画像６３の表示画像として一括して変更する機能を有している。なお、制御部２１は、本発明の「代表画像表示部」、「代表画像選択部」、「代表画像一括変更部」および「表示画像選択部」の一例である。
【００３０】
また、制御プログラム記憶部２２には、ビデオレコーダ１の各種動作を制御するための制御プログラムが記憶されており、この制御プログラムが制御部２１に読み込まれることによって、制御部２１による各種動作およびデータ処理に関する制御が行われる。また、メモリ２４は、ＨＤＤ２およびＤＶＤドライブ３が保持する各種データを一時的に記憶する媒体である。また、メモリ２４は、制御部２１によって各種動作およびデータ処理が行われる際に、処理データおよびユーザからの指示命令などを一時的に記憶しておくためのバッファメモリとしての機能を有している。また、ＯＳＤ回路部２８は、制御部２１からの制御信号に基づいて、リモコン送信機１０の各ボタンの指示内容に対応した各種情報についてのＯＳＤ信号を生成する機能を有している。また、加算器２９は、デコーダ部２７から送信されたアナログ信号と、ＯＳＤ回路部２８によって生成されたＯＳＤ信号とを合成して、外部出力端子に送信する機能を有している。
【００３１】
また、外部モニタ４０は、映像表示部４０ａと、スピーカ部４０ｂとから構成されている。この外部モニタ４０（映像表示部４０ａ）の画面上には、外部出力端子３０と接続されることによって、ビデオレコーダ１に録画されたコンテンツが再生されるとともに、ＯＳＤ回路部２８からのＯＳＤ信号によって、外部モニタ４０（映像表示部４０ａ）の画面上に設定画面が表示され、その設定画面上で、ビデオレコーダ１の各種設定操作が行われる。
【００３２】
図４は、図１に示した一実施形態によるビデオレコーダのサムネイル画像の一括変更動作を説明するためのフローチャートである。図５〜図８は、図１に示した一実施形態によるビデオレコーダの一括変更動作を説明するための図である。次に、図４〜図８を参照して、本実施形態によるビデオレコーダ１のサムネイル画像６３の一括変更動作について説明する。まず、図４のステップＳ１において、制御部２１により、ビデオレコーダ１の電源スイッチ５またはリモコン送信機１０の電源ボタン１１がＯＮ状態であるか否かが判断される。ステップＳ１において、制御部２１により、電源スイッチ５または電源ボタン１１がＯＮ状態ではないと判断された場合には、ステップＳ１における電源スイッチ５または電源ボタン１１がＯＮ状態であるか否かの判断が繰り返される。一方、ステップＳ１において、制御部２１により、電源スイッチ５または電源ボタン１１がＯＮ状態であると判断された場合には、ステップＳ２において、ユーザが、リモコン送信機１０のメニューボタン１２を押し下げることにより、外部モニタ４０の画面上に図５に示すメニュー画面が表示される。そして、ステップＳ３において、ユーザがメニュー画面上のサムネイル画像一括変更を選択すると、ステップＳ４において、制御部２１により、図６に示すサムネイル画像一括変更画面６０が外部モニタ４０の画面上に表示される。このサムネイル画像一括変更画面６０には、図６に示すように、ＤＶＤドライブ３に挿入されている図示しないＤＶＤメディア、または、ＨＤＤ２に録画されたコンテンツに対応するサムネイル画像６３が所定の領域に一覧表示されている。また、サムネイル画像一括変更画面６０には、設定ボタンとして、「はい」「いいえ」ボタン、「メニュー」ボタン、「選択終了」ボタン、「動画像」「静止画像」ボタン、および、「一括変更」ボタンが表示されている。なお、サムネイル画像一括変更画面６０に表示される設定ボタンの選択は、ユーザがリモコン送信機１０の選択ボタン１４を操作することにより行われる。
【００３３】
次に、ステップＳ５において、制御部２１により、ユーザが表示画像を変更するサムネイル画像６３を選択する際に、一覧表示されたサムネイル画像６３の全てを選択したか否かが判断される。具体的には、制御部２１により、ユーザが、サムネイル画像一括変更画面６０の「全選択しますか？」の質問に対して、「はい」ボタンを選択したか否かが判断される。
【００３４】
ステップＳ５において、制御部２１により、ユーザが「はい」ボタンを選択したと判断した場合には、サムネイル画像６３の全てが選択されて、ステップＳ８に進む。一方、ステップＳ５において、制御部２１により、ユーザが「いいえ」ボタンを選択したと判断された場合には、ステップＳ６において、ユーザにより、表示画像を変更するサムネイル画像６３が個別に選択される。具体的には、図６のサムネイル画像一括変更画面６０において、ユーザが、「いいえ」ボタンを選択すると、図７に示すように、サムネイル画像６３のフレーム部６３ａにカーソル６４が表示される。カーソル６４は、リモコン送信機１０の選択ボタン１４の矢印ボタン１４ａをユーザが押し下げることによって、隣接するサムネイル画像６３のフレーム部６３ａに移動される。また、カーソル６４を所望のサムネイル画像６３に合わせた後、リモコン送信機１０の選択ボタン１４の決定ボタン１４ｂをユーザが押し下げると、カーソル６４を合わせたサムネイル画像６３が、サムネイル画像６３が一覧表示された領域の下部に設けられた選択画像領域６１に移動される。この選択画像領域６１に移動されたサムネイル画像６３が、表示画像を変更する対象として個別に選択されたサムネイル画像６３となる。
【００３５】
次に、ステップＳ７において、制御部２１により、ユーザが、表示画像を変更するサムネイル画像６３の個別選択を終了したか否かが判断される。具体的には、制御部２１により、ユーザが、サムネイル画像一括変更画面６０の「選択終了」ボタンを選択したか否かが判断される。ステップＳ７において、制御部２１により、表示画像を変更するサムネイル画像６３の選択を終了していないと判断された（「選択終了」ボタンが選択されていない）場合には、ステップＳ６に戻り、ステップＳ６およびＳ７の動作が繰り返される。一方、ステップＳ７において、制御部２１により、表示画像を変更するサムネイル画像６３の個別選択が終了したと判断された（「選択終了」ボタンが選択された）場合には、サムネイル画像６３の個別選択が終了し、ステップＳ８に進む。
【００３６】
次に、ステップＳ８において、ユーザにより、表示画像を変更するサムネイル画像６３の選択を修正するか否かが判断される。ステップＳ８において、ユーザが、選択したサムネイル画像６３の選択を修正すると判断した場合には、ステップＳ５に戻り、ステップＳ５における判断が繰り返される。一方、ステップＳ８において、ユーザが、選択したサムネイル画像６３の選択を修正しないと判断した場合には、選択したサムネイル画像６３の表示画像を選択するために、ユーザにより、所定の時間がサムネイル画像一括変更画面６０の時間入力枠６２に入力される。所定の時間の入力は、ユーザが、リモコン送信機１０の矢印ボタン１４ａにより、時間入力枠６２を選択するとともに、選択した枠内に、リモコン送信機１０の数字ボタン１３によって数字を入力することにより行われる。
【００３７】
ここで、本実施形態では、時間入力枠６２に所定の時間が入力されると、コンテンツの録画開始時から入力した所定の時間経過後に録画されたコンテンツの画像が、選択したサムネイル画像６３の表示画像としてそれぞれ表示される。なお、一般的に、タイマー予約などを用いてコンテンツを録画した場合には、図８に示すように、コンテンツの録画開始時から一定時間コマーシャル（ＣＭ）が録画されるとともに、その後、一定の時間コンテンツの概要を表示するタイトルバックが録画される。このため、ユーザは、時間入力枠６２に入力する所定の時間として、コンテンツの録画開始時からタイトルバックが録画されるまでの時間ｔを入力することにより、選択したサムネイル画像６３にそれぞれ対応するコンテンツのタイトルバックをサムネイル画像６３の表示画像として一括して選択することが可能となる。
【００３８】
また、本実施形態では、所定の時間を入力する際に、図７に示すサムネイル画像一括変更画面６０において、「静止画像」ボタン、または、「動画像」ボタンを選択することによって、サムネイル画像６３を静止画像、または、動画像で表示することができる。なお、「動画像」ボタンを選択した場合には、時間入力枠６２に入力された時間ｔから所定の時間経過後までの間をサムネイル区間として動画像表示される。また、所定の時間は、別途設定可能である。また、所定の時間がコンテンツの録画終了時間よりも後の場合は、時間入力枠６２に入力された時間ｔからコンテンツの録画終了時間までの間が、サムネイル区間として動画像表示される。
【００３９】
次に、ステップＳ９において、ユーザが、時間入力枠６２への所定の時間（時間ｔ）の入力を終了したか否かを判断する。ステップＳ９において、ユーザが、時間入力枠６２への所定の時間（時間ｔ）の入力は確定（終了）していないと判断した（入力した時間を変更したい）場合には、ステップＳ９において、時間入力枠６２への所定の時間（時間ｔ）の入力が終了するまで所定の時間の入力動作が繰り返される。一方、ステップＳ９において、ユーザが、時間入力枠６２への所定の時間（時間ｔ）の入力は確定（終了）したと判断した場合には、ステップＳ１０において、ユーザにより、サムネイル画像一括変更画面６０の「一括変更」ボタンが選択される。これにより、選択されたサムネイル画像６３が、コンテンツの録画開始時から時間ｔ経過後に記録された画像（タイトルバック）に一括して変更される。
【００４０】
その後、ステップＳ１１において、ユーザにより、さらに表示画像を変更するサムネイル画像６３が存在するか否か（再選択の有無）が判断される。ステップＳ１１において、ユーザが、表示画像を変更するサムネイル画像６３がさらに存在すると判断した場合には、ステップＳ５に戻り、ステップＳ５〜Ｓ１０の動作が繰り返される。一方、ステップＳ１１において、ユーザが、表示画像を変更するサムネイル画像６３が存在しないと判断した場合には、ステップＳ１２において、ユーザにより、サムネイル画像一括変更画面６０の「メニュー」ボタンが選択される。これにより、外部モニタ４０の画面上に図５に示すメニュー画面が表示される。次に、ステップＳ１３において、ユーザにより、メニュー画面における「終了」が選択される。
【００４１】
最後に、ステップＳ１４において、制御部２１により、ビデオレコーダ１の電源スイッチ５またはリモコン送信機１０の電源ボタン１１がＯＦＦ状態であるか否かが判断される。ステップＳ１４において、制御部２１により、電源スイッチ５または電源ボタン１１がＯＦＦ状態ではないと判断された場合には、ステップＳ１４における電源スイッチ５または電源ボタン１１がＯＦＦ状態であるか否かの判断が繰り返される。一方、ステップＳ１４において、制御部２１により、電源スイッチ５または電源ボタン１１がＯＦＦ状態であると判断された場合には、サムネイル画像の一括変更動作が終了する。
【００４２】
本実施形態では、上記のように、制御部２１を、一覧表示されたサムネイル画像６３のうち、複数のサムネイル画像６３を個別に選択、または、全てのサムネイル画像６３を一度に選択することが可能であるとともに、選択されたサムネイル画像６３の表示画像を、サムネイル画像６３にそれぞれ対応するコンテンツに含まれる所定の画像に一括して変更するように構成することによって、サムネイル画像６３の表示画像を、コンテンツの所定の画像に変更することが可能であるとともに、サムネイル画像６３を選択した後、制御部２１により、選択したサムネイル画像６３の表示画像を一括して変更することができるので、多数のサムネイル画像６３の表示画像を変更する場合でも、容易に表示画像を変更することができる。これにより、たとえば、毎日予約、または、毎週予約などのタイマー予約を用いて、決まった時刻に放送されるコンテンツを定期的に記録することによって、多数のコンテンツが記録部に記録され、これによって、記録されたコンテンツに対応するサムネイル画像６３が多数存在するとともに、その多数のサムネイル画像６３の表示画像を変更する必要がある場合でも、複数のサムネイル画像６３の表示画像を一括して変更することができるので、多数のサムネイル画像６３の表示画像を１タイトルずつ変更する場合に比べて、表示画像の変更作業における作業効率を向上させることができる。
【００４３】
また、本実施形態では、制御部２１を、所定の時間を設定することにより、選択されたサムネイル画像６３にそれぞれ対応するコンテンツに含まれるコンテンツの記録開始時から所定の時間経過後に記録された画像を一括して選択するように構成することによって、ユーザが所定の時間を設定することにより、コンテンツの記録開始時から設定した時間経過後にそれぞれ記録された画像を、選択したサムネイル画像６３の表示画像としてそれぞれ選択することができるので、１タイトルずつサムネイル画像６３の表示画像を選択する場合と異なり、選択したサムネイル画像６３が多数ある場合でも、サムネイル画像６３の表示画像を容易に選択することができる。また、タイマー予約などによりコンテンツを記録した場合には、コンテンツの記録開始時から一定時間、コンテンツの概要とは無関係の画像であるコマーシャル（ＣＭ）画像が録画される一方、その後、一定時間、コンテンツの概要（タイトル）を表示する画像（タイトルバック）が記録されるのが一般的であるので、コンテンツの記録開始時からタイトルバックが表示されるまでの時間ｔを所定の時間として設定することにより、タイトルバックをサムネイル画像６３の表示画像として一括して選択することができる。これにより、多数のサムネイル画像６３の表示画像を変更する必要がある場合でも、選択したサムネイル画像６３の表示画像を、容易に、タイトルバックに変更することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、本発明をビデオレコーダに適用した例を示したが、本発明はこれに限らず、録画（記録）されたコンテンツに対応するサムネイル画像を表示することが可能であれば、ビデオレコーダ以外の記録再生装置に本発明を適用してもよい。たとえば、パーソナルコンピュータ、ビデオテープレコーダ、デジタルビデオカメラ、テレビゲーム機などに、本発明を適用してもよい。
【００４６】
また、上記実施形態では、コンテンツを録画する録画部として、ＨＤＤ、および、ＤＶＤドライブ（ＤＶＤメディア）を用いた例を示したが、本発明はこれに限らず、コンテンツを録画する録画部は、ＨＤＤ、および、ＤＶＤドライブ以外の録画部であってもよい。ＨＤＤ、および、ＤＶＤドライブ（ＤＶＤメディア）以外の録画部としては、たとえば、記録用メモリカードなどが考えられる。
【００４７】
また、上記実施形態では、記録用メモリに、録画されたコンテンツの位置情報を記録するとともに、記録された位置情報を参照して、録画されたコンテンツの一部の画像をサムネイル画像として縮小表示する例を示したが、本発明はこれに限らず、録画されたコンテンツの一部の画像をサムネイルデータとしてメモリに記録し、このサムネイルデータを用いて、サムネイル画像を表示するようにしてもよい。
【００４８】
また、上記実施形態では、サムネイル画像の表示画像の選択は、所定の時間を設定することにより、コンテンツの録画開始時から所定の時間経過後に録画された画像をサムネイル画像の表示画像として選択するようにした例を示したが、本発明はこれに限らず、サムネイル画像の表示画像の選択は、何れの方法で行ってもよい。たとえば、サーチボタンなどを用いて、サムネイル画像の表示画像の選択を行ってもよい。
【００４９】
また、上記実施形態では、複数のサムネイル画像６３を個別に選択、または、全てのサムネイル画像６３を一度に選択可能に構成するとともに、選択したサムネイル画像を所定の画像に一括して変更可能に構成した例を示したが、本発明はこれに限らず、１つのサムネイル画像を選択可能に構成するとともに、その選択した１つのサムネイル画像を所定の画像に変更可能に構成してもよい。
【００５０】
また、上記実施形態では、時間入力枠に入力された時間ｔから所定の時間経過後までの間をサムネイル区間としてサムネイル画像を動画像表示可能に構成した例を示したが、本発明はこれに限らず、上記以外の方法でサムネイル区間を指定して、サムネイル画像を動画像表示可能に構成してもより。たとえば、コンテンツの位置を任意に２カ所指定することにより、その間をサムネイル区間として、サムネイル画像を動画像表示するようにしてもよい。
【００５１】
また、上記実施形態では、アナログのテレビジョン電波信号が受信可能なチューナ部を用いた例を示したが、本発明はこれに限らず、デジタルのテレビジョン電波信号を受信可能なデジタルチューナ部を用いるようにしてもよい。
【図面の簡単な説明】
【００５２】
【図１】本発明の一実施形態によるビデオレコーダの全体斜視図である。
【図２】図１に示した本発明の一実施形態によるビデオレコーダのリモコン送信機の平面図である。
【図３】図１に示した本発明の一実施形態によるビデオレコーダの構成を説明するためのブロック図である。
【図４】図１に示した本発明の一実施形態によるビデオレコーダのサムネイル画像の一括変更動作を説明するためのフローチャートである。
【図５】図１に示した本発明の一実施形態によるビデオレコーダのメニュー画面を表示した図である。
【図６】図１に示した本発明の一実施形態によるビデオレコーダのサムネイル画像一括変更画面を表示した図である。
【図７】図１に示した本発明の一実施形態によるビデオレコーダのサムネイル画像一括変更画面を表示した図である。
【図８】図１に示した本発明の一実施形態によるビデオレコーダに録画されたコンテンツを説明するための図である。
【符号の説明】
【００５３】
１      ビデオレコーダ
２      ＨＤＤ（記録部）
３      ＤＶＤドライブ（記録部）
５      電源スイッチ
６      信号受光部
１０    リモコン送信機
１２    メニューボタン
１７    発光部
２０    電源部
２１    制御部（代表画像表示部、代表画像選択部、代表画像一括変更部、
表示画像選択部）
２１ａ  タイマー部
２２    制御プログラム記憶部
２３    記録用メモリ
２５    チューナ部
２６    エンコーダ部
２７    デコーダ部
５０    アンテナ
６０    サムネイル画像一括変更画面
６２    時間入力枠
６３    サムネイル画像
６３ａ  フレーム部
６４    カーソル
【図１】
2007295475.tif 000003
【図２】
2007295475.tif 000004
【図３】
2007295475.tif 000005
【図４】
2007295475.tif 000006
【図５】
2007295475.tif 000007
【図６】
2007295475.tif 000008
【図７】
2007295475.tif 000009
【図８】
2007295475.tif 000010